(57)【要約】      （修正有）【課題】精紡機用ダブルエプロン式ドラフト装置であって、何らかの障害となる部材によって楔形間隔領域を損なわない装置を提供する。【解決手段】デリベリニップラインを有しかつ被動デリベリローラとこれに対して弾力的に押付けられる加圧ローラとを含むデリベリローラ対と、さらに、前段に設けられデリベリニップラインの領域でステープルスライバを案内しかつこれとで楔形間隙を形成するエプロン対と、エプロン対の領域でデリベリローラの周面を包み込みかつこの周面とで狭い隙間を形成するカバーとを備えたものにおいて、カバー１８が楔形間隙１５の外側に配置され、隙間１７が負圧管路２０の吸引口１９に接続されており、精紡工程中断時にカバー１８も吸引口１９もデリベリローラ１１から僅かに離反動可能である。【選択図】図１
2006002331.tif 000002
【特許請求の範囲】
【請求項１】
精紡機用ダブルエプロン式ドラフト装置であって、デリベリニップラインを有しかつ被動デリベリローラとこれに対して弾力的に押付けられる加圧ローラとを含むデリベリローラ対と、さらに、前段に設けられデリベリニップラインの領域でステープルスライバを案内しかつこれとで楔形間隙を形成するエプロン対と、エプロン対の領域でデリベリローラの周面を包み込みかつこの周面とで狭い隙間を形成するカバーとを備えたものにおいて、カバー（１８）が楔形間隙（１５）の外側に配置され、隙間（１７）が負圧管路（２０）の吸引口（１９）に接続されており、精紡工程中断時にカバー（１８）も吸引口（１９）もデリベリローラ（１１）から僅かに離反動可能であることを特徴とするダブルエプロン式ドラフト装置。
【請求項２】
吸引口（１９）がデリベリローラ（１１）の周面（１６）から１〜５ミリメートル離反動可能であることを特徴とする、請求項１記載のダブルエプロン式ドラフト装置。
【請求項３】
カバー（１８）と吸引口（１９）が１つの構造ユニット（１８、１９）を形成しかつ一緒にデリベリローラ（１１）から離反動可能であることを特徴とする、請求項１または２記載のダブルエプロン式ドラフト装置。
【請求項４】
構造ユニット（１８、１９）に揺動軸（２１）が付設されており、この揺動軸がデリベリローラ（１１）の領域にあることを特徴とする、請求項３記載のダブルエプロン式ドラフト装置。
【請求項５】
構造ユニット（１８、１９）に直動ガイド（２９、３０）が付設されていることを特徴とする、請求項３記載のダブルエプロン式ドラフト装置。
【請求項６】
ばね手段（２４）に抗して作用する引張帯材（２３）が構造ユニット（１８、１９）に付設されていることを特徴とする、請求項３〜５のいずれか１項記載のダブルエプロン式ドラフト装置。
【請求項７】
空圧式操作機構（２８）が引張帯材（２３）に付設されていることを特徴とする、請求項６記載のダブルエプロン式ドラフト装置。
【発明の詳細な説明】
【技術分野】
【０００１】
本発明は、精紡機用ダブルエプロン式ドラフト装置であって、デリベリニップラインを有しかつ被動デリベリローラとこれに対して弾力的に押付けられる加圧ローラとを含むデリベリローラ対と、さらに、前段に設けられデリベリニップラインの領域でステープルスライバを案内しかつこれとで楔形間隙を形成するエプロン対と、エプロン対の領域でデリベリローラの周面を包み込みかつこの周面とで狭い隙間を形成するカバーとを備えたものに関する。
【背景技術】
【０００２】
ダブルエプロン式ドラフト装置では、特にそれらがいわゆるエアジェット精紡工程において利用される場合、デリベリローラ対が回転する結果空気流を無視し得なくなるようなデリベリ速度に達することがある。その高い周速度のゆえに、回転するデリベリローラは空気を伴送する。これは特に、デリベリローラ対のうち一般にリブ付きの被動ボトムローラ、いわゆるデリベリローラにあてはまる。デリベリローラの周方向での空気流はデリベリニップラインで中断される。エプロン対とデリベリニップラインとの間の楔形間隙内に持続的に空気が送り込まれる。この空気は楔形間隙から一方で軸線方向両側に流れ去るが、しかし他方で一部はステープルスライバの輸送方向とは逆にも流れる。その際、空気の渦化と繊維の流れ障害が生じる。この空気流はステープルスライバのうちエプロン対から進出してデリベリニップラインへと走る繊維を多かれ少なかれ無秩序にする。これは例えば、糸品質値の劣化がデリベリ速度に伴って指数関数的に増加することに現れる。
【０００３】
デリベリローラ対と一緒に周回する空気流を全体的に遮蔽することが既に試みられている。例えば特許文献１により、狭い隙間を残しながら少なくともデリベリローラを周面の大部分にわたって覆うことが公知となっている。この措置によって確かに望ましくない空気流は避けることができるが、しかしデリベリローラの周面とカバーとの間の隙間内で繊維が絡み合い、何らかの仕方でステープルスライバから離れて隙間内に達する危険がある。さらに、公知のダブルエプロン式ドラフト装置ではカバーがエプロン対とデリベリニップラインとの間の楔形間隙領域内にまで突出する欠点がある。そのため、エプロン対はデリベリニップラインから拡大された距離を持たねばならないが、この拡大された距離はこの個所で既にきわめて薄くかつまだ撚られていないスライバの案内を損なう。
【特許文献１】独国特許出願公開第４００３０１９号明細書
【発明の開示】
【発明が解決しようとする課題】
【０００４】
本発明の課題は、冒頭指摘した種類のダブルエプロン式ドラフト装置において、何らかの障害となる部材によって楔形間隙領域を損なうことなく、望ましくない空気流をデリベリニップライン領域から遠ざけ、付加的に隙間内での繊維堆積を防止し、それが不可避である限り、これらの繊維堆積を時々簡単に取り除くことである。
【課題を解決するための手段】
【０００５】
この課題は、カバーが楔形間隙の外側に配置され、隙間が負圧管路の吸引口に接続されており、精紡工程中断時にカバーも吸引口もデリベリローラから僅かに離反動可能であることによって解決される。
【０００６】
カバーが楔形間隙の外側にのみ配置されていることによって、エプロン対とデリベリニップラインとの間の危険な楔形間隙領域で繊維案内が障害的に損なわれることはない。さらに、隙間の恒常的吸引を行うことによって、この領域での飛散は大幅に避けられる。しかし効率的吸引にもかかわらず隙間内でカバーとデリベリローラとの間での繊維狭持を完全には防止できないので、さらになお、精紡工程中断時、例えば糸切れ後、カバーと吸引口はデリベリローラから僅かに離反動可能となっている。その際、吸引口は負圧がそこではまだ有効である程度にのみデリベリローラから離間させるべきである。場合によって狭持された繊維はこの離反動によって自由となり、吸引口内に達することができる。
【０００７】
吸引口がデリベリローラの周面から１〜５ミリメートル、つまりまさに、挟持された繊維が自由となるがしかし負圧がなお働く程度に離反動可能であると好ましいことが判明した。その際有利にはカバーと吸引口が１つの構造ユニットを形成し、こうしてそれらは一緒にデリベリローラから離反動可能である。これにより運動機構が簡素になる。
【０００８】
一実施例では、構造ユニットに揺動軸が付設されており、この揺動軸がデリベリローラの領域にある。別の一実施例では、構造ユニットに直動ガイドを付設しておくことができる。
【０００９】
本発明の他の構成において、ばね手段に抗して作用する引張帯材を構造ユニットに付設しておくことができ、この引張帯材は有利には空圧式操作機構に接続されている。
【００１０】
本発明のその他の利点および特徴は幾つかの実施例についての以下の説明から明らかとなる。
図面の簡単な記述
図１はカバーと吸引口とを含む揺動離反可能な構造ユニットを備えた本発明に係るダブルエプロン式ドラフト装置を一部断面図で示す側面図である。
図２は直動ガイドによってデリベリローラから離反動可能な別の態様に形成された構造ユニットを備えたダブルエプロン式ドラフト装置を示す。
【発明を実施するための最良の形態】
【００１１】
精紡機の図１に示す装置はステープルスライバ２から精紡糸１を製造するのに役立つ。この装置は主要構成要素としてダブルエプロン式ドラフト装置３とエアジェット組立体４とを含む。精紡されるべきステープルスライバ２はダブルエプロン式ドラフト装置３に供給方向Ａから供給され、精紡糸１として引取方向Ｂに引き取られ、図示しない巻取り機構に転送される。
【００１２】
ダブルエプロン式ドラフト装置３は主に３線式ドラフト装置であり、合計３つのローラ対を含み、ローラ対はそれぞれ１つの被動ボトムローラとこれに対して弾力的に押付けられる加圧ローラとを含む。フィードローラ対５、６に続くエプロンローラ対７、８は以下でエプロン対と称する案内エプロン９、１０を備えており、さらにデリベリローラ対１１、１２が続く。符号５、７、１１は被動ボトムローラ、符号６、８、１２は付属する加圧ローラである。デリベリローラ対１１、１２の被動ボトムローラ１１を以下ではデリベリローラ１１と称する。
【００１３】
このようなダブルエプロン式ドラフト装置３においてステープルスライバ２は周知の如くに所要の繊度にまでドラフトされる。ダブルエプロン式ドラフト装置３に続いて次に薄いスライバ１３が存在し、これは延伸されるがしかしまだ撚られていない。
【００１４】
ダブルエプロン式ドラフト装置３に僅かな距離で続きかつ精紡撚りを付与するエアジェット組立体４は本発明では基本的に任意構造様式のものとすることができるが、しかしここでは主に、特別高いデリベリ速度を可能とする構造様式に言及される。デリベリ速度は毎分３００〜６００メートルの範囲内とすることができる。その際、高いドラフト能力のゆえにデリベリローラ対１１、１２が特別迅速に作動せねばならないので、ダブルエプロン式ドラフト装置３にはきわめて厳しい条件が要求されることは明白である。
【００１５】
デリベリローラ対１１、１２がデリベリニップライン１４を定義し、延伸されるべきステープルスライバ２のドラフトはこのデリベリニップラインで終了している。その際糸品質に関して、エプロン対９、１０がデリベリニップライン１４に極力間近に接近させられると好ましいことが判明した。そのことから、エプロン対９、１０の出口からデリベリニップライン１４に至るステープルスライバ２の経路を著しく短縮することが可能となり、ステープルスライバ２がデリベリニップライン１４の前で未案内となるのはごく短い経路においてのみとなる。これは糸品質にとってきわめて重要である。
【００１６】
冒頭で既に述べたように、デリベリローラ対１１、１２と一緒に周回する空気流がデリベリニップライン１４で中断されて空気渦化を生じ、これがこの危険な領域でステープルスライバ２の流れを乱すときわめて厄介である。まさにエプロン対９、１０とデリベリニップライン１４との間の楔形間隙１５は特別危険である。なぜならばここではステープルスライバ２は既にごく薄いスライバへとドラフトされているからである。いずれにしても楔形間隙１５の領域では、デリベリローラ対１１、１２と一緒に回転する空気流がここで横に流れ去り、ステープルスライバ２を横に押し流し、または供給方向Ａとは逆に動かすことは、防止されねばならない。
【００１７】
ところで、一方でエプロン対９、１０がデリベリニップライン１４に過度に接近するのを防止し、他方で望ましくない空気渦化を防止するために、エプロン対９、１０の領域、但し楔形間隙１５の外側に、デリベリローラ１１の周面１６を包み込みかつこの周面１６とで狭い隙間１７を形成するカバー１８が取付けられ、このカバーは周回する空気流をデリベリニップライン１４の領域から遠ざけねばならない。このカバー１８は絞り抵抗として働くごく狭い隙間１７を有し、この隙間は主に０．２ｍｍ未満である。付加的にこの隙間１７は負圧管路２０の吸引口１９に接続されており、その誘引通風はＣ方向に作用する。このような吸出しは、一方で望ましくない空気流の境界層の破壊を支援し、他方で例えば空気流によってデリベリニップライン１４に供給される廃繊維を十二分に吸い出し得るようにする。
【００１８】
明らかとなるように、楔形間隙１５の厄介な領域が吸出しによって乱されることのないように吸引口１９はエプロン対９、１０から若干離して取付けられている。
【００１９】
隙間１７が恒常的に吸引されるのではあるが、そこで時々繊維が絡み合うことは避けることができない。この理由から、精紡工程中断時、例えば糸切れ後、カバー１８も吸引口１９もデリベリローラ１１の周面１６から僅かに約１〜５ミリメートルだけ離反動される。これにより、場合によって狭持された繊維が自由となり、吸引口１９内に達することができる。
【００２０】
カバー１８と吸引口１９は明らかなように１つの構造ユニット１８、１９を形成し、従って一緒にデリベリローラ１１から離反動可能である。この構造ユニット１８、１９に付設された揺動軸２１がデリベリローラ１１の領域にある。従って構造ユニット１８、１９は揺動方向Ｄでデリベリローラ１１の周面１６から僅かに揺動離反できる一方、操業時にはばね手段２４の圧力を受けて止め２２に当接する。
【００２１】
前記ばね手段２４に抗して作用する引張帯材２３が構造ユニット１８、１９に付設されており、この引張帯材はそれ自身主に空圧式操作機構２８に接続されている。引張帯材２３は案内ローラ２５、２６、２７を介して案内され、引張方向Ｅに負荷可能である。
【００２２】
図２による別の実施例では、同一機能の部材である限り、従来の符号が維持されている。それゆえにここでは再度の説明は省かれる。
【００２３】
図２による実施例が図１による実施例と異なるのは、実質的に、構造ユニット１８、１９用に揺動運動の代わりにいまや直動ガイド２９、３０が設けられている点である。直動ガイド２９、３０の運動方向は符号Ｆであり、やはり引張帯材２３によってばね手段２４に抗して行うことができる。操業状態はやはり止め２２によって安全にされている。
【００２４】
直動ガイド２９、３０のゆえに、操業時にダブルエプロン式ドラフト装置３のその他の領域も吸引することが可能である。既に本発明に付属する吸引口１９と並んで他の２つの吸引口３１、３２が設けられており、そのうち吸引口３１は操業時にボトムエプロン９を吸引し、吸引口３２は操業時ボトムフィードローラ５を吸引する。
【図面の簡単な説明】
【００２５】
【図１】カバーと吸引口とを含む揺動離反可能な構造ユニットを備えた本発明に係るダブルエプロン式ドラフト装置を一部断面図で示す側面図である。
【図２】直動ガイドによってデリベリローラから離反動可能な別の態様に形成された構造ユニットを備えたダブルエプロン式ドラフト装置を示す。
【図１】
2006002331.tif 000003
【図２】
2006002331.tif 000004